(57)【要約】【課題】CD／DVD，出版物，書籍類やグッズなどの商品を販売する側のアーティストや作家やスポーツ選手などと商品購入者が個人情報などを必要とせずに会話すること。【解決手段】CD／DVD，出版物，書籍類やグッズなどの商品にシリアル番号とＩＤとパスワードなどを記載した印刷物（シート）などを同梱し、その印刷物（シート）の情報を基に商品購入者が販売者側のアーティストや作家やスポーツ選手などとインターネット会議システムを利用して会話を可能とするシステム又、同様に販売者側が設けたライブ会場に出演しているアーティストなどとインターネット会議システムを利用し映像と音声でリアルタイムに会話しその映像などをライブ会場の大型スクリーンに映し、遠距離の商品購入者（ファン）が参加するシステム。【選択図】図１
2013152586.tif 000002
【特許請求の範囲】
【請求項１】
商品販売者側が予めシリアル番号とＩＤとパスワードなどを記載した印刷物などをCD／DVD，出版物，書籍類やグッズなどの商品に同梱、同時にインターネットに接続された商品管理サーバに同じシリアル番号とＩＤとパスワードを登録し、商品購入者が販売者側のアーティストや作家やスポーツ選手などとインターネット会議システムを利用して会話することを希望する場合は販売者側が設けたホームページ上からシリアル番号とＩＤなどを入力し会話申請を行い、商品管理サーバで無作為に選ばれた商品購入者（ファン）がリアルタイムに映像と音声で会話するシステム。
【請求項２】
請求項１と同様に商品販売者側が予めシリアル番号とＩＤとパスワードなどを記載した印刷物などをCD／DVD，出版物，書籍類やグッズなどの商品に同梱、同時にインターネットに接続された商品管理サーバに商品に同梱と同じシリアル番号とＩＤとパスワードを登録し、商品購入者が販売者側のアーティストなどが出演するライブ会場に設けた大型スクリーンにインターネット会議システムを利用して遠距離の商品購入者（ファン）が参加するシステム。
【請求項３】
請求項１と請求項２の商品に同梱のシリアル番号，ＩＤ，パスワードなどを商品管理サーバに登録し、商品購入者が請求項１と請求項２で商品販売者側のアーティスト，作家，スポーツ選手などと会話希望者を商品管理サーバの抽出プログラムで無作為に選択する手順において会話希望者が商品に同梱されたシリアル番号とＩＤを入力することにより会話希望者を選択する手段と個人情報などの入力を行わないプライバシーに配慮するシステム。
【発明の詳細な説明】
【技術分野】
【０００１】
本発明はインターネット会議システムを利用した媒体（ＣＤ／ＤＶＤ、出版物、書籍類）及びグッズなどの拡販を促す方法に関するものである。
【背景技術】
【０００２】
本発明は周知のインターネット会議システムを利用する又、インターネット会議システムは企業内で複数拠点間の会議で使用されている。同会議システムはＩＤとパスワードを入力しログインすることで利用できるシステムである。
【先行技術文献】
【非特許文献】
【０００３】
書籍名（2011ビデオ会議/Web会議の最新市場動向）  出版社（シード・プランニング）
【発明の概要】
【発明が解決しようとする課題】
【０００４】
CD／DVD、出版物、書籍類及びグッズなどの商品販売者が商品の販売を介してアーティストや作家やスポーツ選手などとそれらの商品購入者としてのファン（応援者）とリアルタイムに映像と音声で会話を行うシステムを提供する。
【課題を解決するための手段】
【０００５】
本発明は商品販売者側が予めシリアル番号とＩＤとパスワードなどを記載した印刷物（シート）などをCD／DVD，出版物，書籍類やグッズなどの商品に数量限定もしくは、全数量で同梱、同時にインターネットに接続された商品管理サーバに商品同梱と同じシリアル番号とＩＤとパスワードなどを登録する。
【０００６】
商品購入者が販売者側のアーティストや作家やスポーツ選手などとインターネット会議システムを利用して会話することを希望する場合は販売者側が設けたホームページからシリアル番号とＩＤなどを入力し申請又、会話する権利が得られた場合はメールでの案内を希望する申請者はメールアドレスも入力する。
【０００７】
商品管理サーバは会話可能日時のスケジュール管理を行うことと会話可能者のシリアル番号とインターネット会議の開始日時を販売者側が設けたホームページ上に掲載する。会話が可能となった場合でメールでの案内希望者に対してはメールで案内する。
【０００８】
商品購入者がホームページを閲覧し、購入者自身が会話対象の場合は案内の日時にインターネット会議システムにＩＤとパスワードでログインしリアルタイムに映像と音声で会話を行う。
【０００９】
同様に販売者側が設けたライブ会場に出演しているアーティストなどとインターネット会議システムを利用し映像と音声でリアルタイムに会話し、その映像などをライブ会場の大型スクリーンに映し、遠距離の商品購入者（ファン）が参加するシステムも提供する。
【００１０】
上記０００５で会話希望の商品購入者がインターネットのホームページ上から商品管理サーバにアクセスし申請することにより在庫商品のシリアル番号や会話を希望しない商品購入者のシリアル番号を無作為に抽出するシリアル番号から除外する。
【００１１】
上記のように互いの販売者側のアーティストや作家やスポーツ選手などと商品購入者側の個人情報（電話番号など）を公表することなく直接アーティストや作家やスポーツ選手などとリアルタイムに映像と音声で会話できる。
【発明の効果】
【００１２】
本発明は芸能、出版、スポーツ、娯楽など幅広い分野で活躍しているアーティストや作家やスポーツ選手などが提供する商品の拡販が期待できるシステムである。
【図面の簡単な説明】
【００１３】
【図１】実施例１のシステムの流れ図である。
【図２】実施例２のシステムの流れ図である。
【図３】会話申請手続きの流れ図である。
【発明を実施するための形態】
【００１４】
以下、本発明の実施の形態について、添付図面（図１，図２）に基づき詳細に説明する。
【実施例１】
【００１５】
図１は商品販売者側であるアーティストや作家やスポーツ選手など１２と商品購入者（会話希望者）１３がインターネット会議システムを利用して会話する方法を説明する。
【００１６】
CD／DVD、出版物、書籍類及びグッズなどの商品５に商品管理用シリアル番号，ＩＤ，パスワードを記載したシート４を同梱する。同時にインターネットに接続される商品管理サーバにシリアル番号，ＩＤ，パスワードなどを登録する。
【００１７】
上記００１６で同梱するシート４は商品全てに同梱するか数量限定で同梱するかは販売者側に委ねる。
【００１８】
商品購入者６はアーティストや作家やスポーツ選手など１２と会話希望であれば商品販売者側のホームページ８よりシリアル番号とＩＤなどを入力し商品管理サーバ１に登録し、その登録されたデータを基に商品販売者側で会話可能の日時をスケジュールし、ホームページにシリアル番号を掲載し案内する。
【００１９】
商品全てにシート４を同梱した場合は上記００１８で入力したシリアル番号を基に会話希望者の中から商品管理サーバ１の抽選プログラムで無作為に会話可能者を選択する。
【００２０】
上記００１８で商品購入者６の会話希望者が会話日時をメールでの案内を希望する場合はシリアル番号とＩＤの入力画面でメールアドレスも入力する。
【００２１】
会話可能日時にアーティストや作家やスポーツ選手など１２と商品購入者（会話希望者）１３がインターネット会議システム１１にＩＤとパスワードなどを入力しログインし映像と音声で会話する。
【実施例２】
【００２２】
図２は商品販売者側が開催するライブ会場に出演するアーティストなど１７と商品購入者（出演希望者）２０がインターネット会議システムを利用してライブ会場の大型スクリーンに映し会話する方法を説明する。
【００２３】
上記００１６と同様にCD／DVD、出版物、書籍類及びグッズなどの商品５に商品管理用シリアル番号，ＩＤ，パスワードを記載したシート４を同梱する。同時にインターネットに接続される商品管理サーバにシリアル番号，ＩＤ，パスワードなどを登録する。
【００２４】
上記００１６で同梱するシート４は商品全てに同梱するか数量限定で同梱するかは販売者側に委ねる。
【００２５】
商品購入者６はライブ会場に出演のアーティストなど１７と会話希望であれば商品販売者側のホームページ８よりシリアル番号とＩＤなどを入力し商品管理サーバ１に登録し、その登録されたデータを基に商品販売者側で会話可能の日時をスケジュール設定し、商品販売者側のホームページにシリアル番号を掲載し案内する。
【００２６】
商品全てにシート４を同梱した場合は上記００２５で入力したシリアル番号を基にライブ会場の大型スクリーン１６に映しアーティストなど１７と映像と音声で会話することを希望する者の中から商品管理サーバ１の抽選プログラムで無作為に会話可能者を選択する。
【００２７】
上記００２５で商品購入者６の会話希望者が会話日時をメールでの案内を希望する場合はシリアル番号とＩＤの入力画面でメールアドレスも入力する。
【００２８】
会話可能日時にアーティストなど１７と商品購入者（会話希望者）２０がインターネット会議システムにＩＤとパスワードなどを入力しログインしライブ会場に設置した大型スクリーン１６に映し映像と音声で会話する。
【００２９】
インターネット会議システムのアーティストなど１７側の操作はライブ会場の進行係１８などが行う。
【符号の説明】
【００３０】
１    商品管理サーバ
２    商品データベース
３    商品販売会社
４    商品管理用シリアル番号，ＩＤ，パスワードなどの印刷物（シート）
５    商品
６    商品購入者
７    申請手続き
８    ホームページの画面
９    メール案内
１０    ログイン操作（商品購入者）
１１    インターネット会議システムのパソコン画面
１２    アーティスト・作家・スポーツ選手など
１３    会話可能者としての商品購入者（会話希望者）
１４    ログイン操作（アーティストなど）
１５    ライブ会場
１６    大型スクリーン
１７    アーティストなど
１８    会場の進行係
１９    観客
２０    ライブスクリーン出演可能者としての商品購入者（出演希望者）
２１    商品登録
２２    商品販売
２３    希望の条件
【図１】
2013152586.tif 000003
【図２】
2013152586.tif 000004
【図３】
2013152586.tif 000005